【事件の表示】
　平成１１年特許願第３０８１７２号「ネットワーク上における商品販売補助装置及び方法」拒絶査定不服審判事件〔平成１３年　５月１１日出願公開、特開２００１−１２５９７５〕について、次のとおり審決する。
【結　論】
　本件審判の請求は、成り立たない。
【理　由】
１．手続の経緯
　
　本件出願は，平成１１年１０月２９日の出願であって，平成１９年１月２６日付けで拒絶査定がなされ，これに対し，同年３月１日に拒絶査定に対する審判請求がなされたものである。
　
　
２．本件発明
　
　本件の請求項１に係る発明（以下，「本件発明」という。）は，平成１８年１２月１日付け手続補正により補正された明細書及び図面の記載からみて，その特許請求の範囲の請求項１に記載された事項により特定される，以下のとおりのものである。
　
「【請求項１】
　ネットワークを介して行われる商品販売を補助する商品販売補助装置であって，
　商品購入申込者の入力に応じて，当該商品の受注処理を行う商品受注手段と，
　商品販売を欲する出品者からの入力に応じて，入力された商品の情報に基づき前記商品受注手段を使用可能な商品案内ページを生成し，前記ネットワーク上の所在に関する情報を割り当て，前記商品案内ページを記憶装置に格納する割当手段と，
　前記記憶装置に格納された前記商品案内ページに割り当てられた前記ネットワーク上の所在に関する情報を前記出品者に提供する提供手段と，
　を有する商品販売補助装置。」
　
　
３．引用例
　
（１）引用例１
ア　原査定の拒絶の理由で引用した引用例１（特開平１１−２５９５７６号公報）には，図面とともに，次の記載がある。（下線は，当審で付加した。）
　
（ア）「【０００１】
【発明の属する技術分野】本発明は，コンピュータ端末を使って商品の売買を行う電子モールシステムに関するものである。」
　
（イ）「【０００３】
【発明が解決しようとする課題】しかし，上記従来の電子モールシステムでは，
販売者はホームページを掲載する電子モールごとにホームページを制作する必要がある
電子モールごとに登録の方法が違うため，複数の電子モールへの登録はその運営上極めて難しい
　
（ウ）「【００１１】
【発明の実施の形態】本発明の実施の形態としての一具体例を図面を利用して説明する。
本発明に基づく電子モールシステムＥは，基本的に，上記購入者としてのショッパーと，上記販売者としてのテナントとをインターネットを介してネットワークを形成し商品の売買取引を行うことを可能とする通信販売システムである
別個に開設してあるテナントのホームページのｈｔｍｌデータをそのまま利用できる
　
（エ）「【００１４】上記電子モールサーバ装置１は，この電子モールシステムＥの中核をなすものであって，ＣＰＵ１０と，通信装置２０と，記憶装置３０とを有している。
上記ＣＰＵ１０は，後記する通信装置２０，記憶装置３０などを全般的に制御するものである。上記通信装置２０は，ＣＰＵ１０によって制御されながら，ショッパー側端末装置Ｕやテナント側端末装置Ｔへ向けて画像データを送信したり，ショッパー側端末装置Ｕやテナント側端末装置Ｔ，外部ウェブサーバ装置Ｗからの画像データを受信するためのものである
【００１５】上記記憶手段としての上記記憶装置３０は，データベース１００と，動作制御プログラム格納部１１０とを格納している。
データベース１００は，この電子モールシステムＥに登録した各種データを格納するためのものであって，テナント会員データベース１０２と，商品データ・外部Ｗｅｂ情報データベース１０４と，を有している
【００１６】また，
商品データ・外部Ｗｅｂ情報データベース１０４には，テナントが陳列する商品の名称，仕様，価格，消費税の税別／税込，送料，カテゴリー，キーワード等の各種データが格納されている
この商品データ・外部Ｗｅｂ情報データベース１０４には，外部ウェブサーバ装置Ｗから取り込んだホームページのｈｔｍｌデータを格納する機能も有している
　
（オ）「【００１９】まず，ショッパーＡが，電子モールサーバ１に氏名，Ｅ−ｍａｉｌアドレス等の登録を行う。これにより，
ショッパーＡは，電子モールサーバ１が提供するサービスを受けることができ，商品を購買することが可能となる
【００２０】次に，
テナントが，別個にホームページを開設する。そして，電子モールサーバ１にテナントの諸情報を登録する
テナントであるＢ会社は，電子モールサーバ１が提供するサービスを受けることが可能となり，電子モールに出店することができ，商品を陳列することが可能となる
陳列する商品を登録する場合には，図４に示す商品登録フォームに所定の事項を入力する必要がある
この商品登録フォーム等は外部装置の宛先の情報を記憶手段に登録するための上記格納手段として機能する
【００２１】例えば，
テナントであるＢ会社が「快適椅子」についての商品の登録を行う場合には，図４に示すように記入する
商品情報のあるＵＲＬ／ＨＴＭＬファイル名の欄には所定の入力を行い
以上の入力内容でよければ「商品登録」にマウスカーソルを合わせクリックする。よって，この「快適椅子」に関する事項がこの電子モールシステムＥに登録される。登録された内容は電子モールサーバ１に送られ，データベース１００における商品データ・外部Ｗｅｂ情報データベース１０４に格納される
　
（カ）「【００２６】次に，商品インデックス画面に表示されている商品の中から選択したい商品を１つ検索する操作が行われたか否かが判定される（Ｓ１３）。
この操作は，商品インデックス画面（図６参照）に登録された商品の中から所定の商品を選択し，「商品を見る」のアイコンをクリックすることにより行われる。この操作を行うと，上記購入用画像としての商品購入用画面２００ｂのデータを読み出すとともに（Ｓ１４），選択された商品について登録されたＵＲＬで指定されたホームページが登録された外部ウェブサーバＷに対して回線接続を行い（Ｓ１５），当該ホームページのｈｔｍｌデータを取り込む
商品購入用画面２００ｂのデータは，動作制御プログラム格納部１１０に格納されている
【００２７】例えば，
ショッパーＡが図６に示す商品インデックス画面に表示されているテナントであるＢ会社の陳列商品のうち，「快適椅子」についてその商品の内容や価格等を知りたいときは，「商品を見る」にマウスカーソルを合わせクリックする。すると，所定のフレームデータに，指定された商品「快適椅子」についての情報を書き込んだ形で商品購入用画面２００ｂのデータを作成する
【００２８】一方，
指定された商品「快適椅子」について登録されているＵＲＬを商品データ・外部Ｗｅｂ情報データベース１０４から読み出し，そのＵＲＬに対して回線接続を行う。そして，そのＵＲＬで指定されたホームページのｈｔｍｌデータを受信する。受信したｈｔｍｌデータは，一旦商品データ・外部Ｗｅｂ情報データベース１０４に格納される。この格納されたｈｔｍｌデータが，商品表示用画面２００ａのデータとなる
【００２９】そして，
上記商品購入用画面２００ｂのデータと，商品表示用画面２００ａのデータとを合成して，図７に示すように商品表示用及び購入用画面を表示する
この商品表示用画面２００ａと商品購入用画面２００ｂとを上下に並べた形で商品表示用及び購入用画面のｈｔｍｌデータを生成し，これをショッパー側端末装置Ｕに送信する
【００３０】これにより，ショッパーＡは，商品表示用画面２００ａの内容から商品の内容を知ることができる。例えば，商品の全体写真，詳細な仕様を知ることができる。また，ショッパーＡは，商品購入用画面２００ｂにより，「快適椅子」について，商談が可能であること，その仕様は革張りであること，価格は２５０００円，消費税は税別，送料は０円，支払方法は代引，すなわち，代金引き替えであること等を知ることができる。ここで，「商談可」の表示は，テナントがその商品について後述する商談ルーム処理を可能とする登録をした場合に行われる。つまり，図４において，商談ルームを「使用する」にした商品について「商談可」の表示が行われる。一方，「使用しない」にした商品については，「商談不可」と表示される。一方，商品を検索する操作以外の操作を行った場合には，別処理へ進む（Ｓ３０）。なお，他のテナントを検索したい場合は，図５に示す「テナントインデックス画面」に戻ればよい。
【００３１】次に，
商品表示用及び商品購入用画面に表示されている商品を購入する旨の操作があったか否かが判定される
　
（キ）「【００３９】一方，商談しない場合又は商談できない場合は，正式注文をするか操作があったか否かが判定される（Ｓ２８）。この操作は，ご利用記録ページ画面（図１０）における「注文確認」の箇所をクリックした上，「チェックの更新」にマウスカーソルを合わせクリックすることにより行われる。そして，商談を行わずに正式注文した場合には，正式注文があった旨の電子メールが自動的に送信され（Ｓ２９），処理を終了する。正式注文しないとした場合は，別処理へ進む（Ｓ３０）。
【００４０】例えば，
ショッパーＡが「快適椅子」について商談を行わずに正式注文するときは，上記ご利用記録ページ画面（図１０）の発注内容の一覧表の「注文確認」の欄にマウスカーソルを合わせクリックした上，「チェックの更新」にマウスカーソルを合わせクリックする。すると，正式注文があった旨の電子メールがテナント側端末装置Ｔに自動的に送信する
　
（ク）「【００４８】
上記の構成の電子モールシステムＥによれば，電子モールサーバ装置１が，テナントが開設したホームページが設けられた外部ウェブサーバ装置Ｗから送信されるホームページのｈｔｍｌデータを，通信回線Ｋ３を介して電子モールサーバ装置１に取り込み，これを商品表示用画面として商品購入用画面と合成した商品表示用及び購入用画面のｈｔｍｌデータをショッパー側端末装置Ｕへ送信するので，テナントは，電子モールシステムごとにホームページを開設する必要がない
　
（ａ）上記摘記事項（キ）から，電子モールサーバは受注処理を行っていることから，電子モールサーバが商品受注手段を備えることは明らかである。
　
（ｂ）上記摘記事項（カ）から，商品表示用画面２００ａのデータと商品購入用画面２００ｂのデータとを合成することで商品表示用及び購入用画面のｈｔｍｌデータを生成し，ショッパー側端末装置Ｕに送信することから，生成した商品表示用及び購入用画面のｈｔｍｌデータを電子モールサーバが備える記憶装置に格納する構成になっていることは明らかであり，上記摘記事項（ウ）から，引用例１は，インターネットを介して商品の売買を行うことを可能とする通信販売システムであるから，生成した商品表示用及び購入用画面にＵＲＬが割り当てられることは明らかであり，上記摘記事項（エ）から，記憶装置に格納すること及びＵＲＬの割当てをＣＰＵが行うことは明らかである。
　
イ　そうすると，引用例１には，次の発明（以下，「引用発明」という。）が記載されていると認められる。
　
　「ネットワークを介して行われる商品販売を補助する電子モールサーバであって，
　ショッパーの入力に応じて，当該商品の受注処理を行う商品受注手段と，
　ショッパーの「商品を見る」のアイコンのクリックに応じて，選択された商品について登録されたＵＲＬで指定されたホームページからｈｔｍｌデータを取得し，該ｈｔｍｌデータからなる商品購入用画面のデータと商品販売を欲するテナントが入力した商品表示用画面のデータとに基づき商品受注手段を使用可能な商品表示用及び購入用画面を生成し，ＵＲＬを割り当て，前記商品表示用及び購入用画面を記憶手段に記憶するＣＰＵと，
　を有する電子モールサーバ。」
　
（２）引用例２の記載
ア　原査定の拒絶の理由で引用した引用例２（見沢康，３０分であなたのホームページを作る！，ＡＳＡＨＩパソコン，朝日新聞社，１９９９年４月，第２４１号，ｐ．１０２〜１０３）には，図面とともに，次の記載がある。（丸数字をカッコ数字で表記した。）
　
（ア）「（１）掲示板設定画面
　ニフティで掲示板の設定を行っているところ。掲示板のタイトルや，自分のホームページアドレスを記入して申し込む。」（１０２ページ中段左）
　
（イ）「（２）掲示板確認画面
　申し込みが終わると，確認画面が現れる。一番下の行に掲示板のＵＲＬが表示されている。ホームページを手作業で作っている人はこの部分を自分のホームページに埋め込む。」（１０２ページ中段右）
　
（ウ）「（３）完成した掲示板
　確認画面から簡単に自分の掲示板にジャンプできる。掲示板を表示した時点で，ＵＲＬをコピーしておき，「サクサク作成君」のリンク設定時に利用する。」（１０２ページ下段）
　
　ここで，上記摘記事項（ア）の記載と，「（２）掲示板確認画面」の上の画面の「あなたのホームページＵＲＬ　メッセージボードからの戻り先になります。」なる記載との相互の関係，及び，上記摘記事項（イ）の記載と「（１）掲示板設定画面」の上の画面の「あなたのホームページに次のＨＴＭＬを埋め込んでください。
a href=http://mcgi2.nifty.ne.jp/cgi-bin/thread.cgi?user_id=PBI02169パスタマニアの掲示板/a」なる記載との相互の関係を見れば，１０２ページ中段左の「（１）掲示板設定画面」と１０２ページ中段右の「（２）掲示板確認画面」の各画面の説明と，各画面自体とは，左右を入れ違えて印刷されたものであることが明らかである。
　
　
４．対比
　
　引用発明の「電子モールサーバ」，「ショッパー」，「テナント」，「商品表示用画面のデータ」，「商品表示用」の「画面」，「ＵＲＬ」，「記憶手段」，「ＣＰＵ」は，それぞれ，本件発明の「商品販売補助装置」，「購入申込者」，「出品者」，「商品の情報」，「商品案内ページ」，「記憶装置」，「割当手段」に相当する。
　そうすると，本件発明と引用発明との一致点及び相違点は次のとおりとなる。
　
［一致点］
　「ネットワークを介して行われる商品販売を補助する商品販売補助装置であって，
　商品購入申込者の入力に応じて，当該商品の受注処理を行う商品受注手段と，
　商品販売を欲する出品者により入力された商品の情報に基づき前記商品受注手段を使用可能な商品案内ページを生成し，前記ネットワーク上の所在に関する情報を割り当て，前記商品案内ページを記憶装置に格納する割当手段と，
　を有する商品販売補助装置。」
　
［相違点１］
　商品案内ページが，本件発明では，「商品販売を欲する出品者の入力に応じて」生成されるのに対し，引用発明では，「ショッパーの「商品を見る」のアイコンのクリックに応じて」生成される点。
　
［相違点２］
　商品案内ページが，本件発明では，「商品の情報」に基づいて生成されるのに対し，引用発明では，「商品購入用画面のデータ」及びショッパーの「商品を見る」のアイコンのクリックに応じて，選択された商品について登録されたＵＲＬで指定されたホームページからｈｔｍｌデータを取得し，該ｈｔｍｌデータからなる「商品表示用画面のデータ」に基づいて生成される点。
　
［相違点３］
　本件発明では，商品販売補助装置が「前記記憶装置に格納された前記商品案内ページに割り当てられた前記ネットワーク上の所在に関する情報を前記出品者に提供する提供手段」を有するのに対し，引用発明では，電子モールサーバがそのような構成を備えていない点。
　
　
５．当審の判断
　
［相違点１］について
　引用例２の上記摘記事項（ア）〜（ウ）及びこれら記載の上にある各画面（前記３（２）で判断したとおり，１０２ページ中段の左右の画面が入れ違えたものであるとしたもの。）を参照すると，掲示板の利用を希望するユーザが所定の事項を入力すると，掲示板を生成することが記載されていることから，ｗｅｂページの生成を希望する者からの入力があったことに応じて，サービスを提供する者がｗｅｂページを生成することは，当業者が容易になし得たものである。
　そうすると，引用発明において，商品販売を欲する出品者の入力に応じて商品案内ページを生成する構成とすることは，当業者が容易になし得たものである。　
　したがって，相違点１に係る構成は，引用発明及び引用例２に記載された事項から，当業者が容易に想到し得た事項である。
　
［相違点２］について
　商品案内ページを生成するために，どのようなタイミングで取得された情報を用いるかは当業者が適宜決定し得た事項であり，このとき，表示する内容をどのような情報に基づいて生成するかは当業者が適宜選択し得た事項である。
　そうすると，引用発明において，商品案内ページを「商品の情報」に基づいて生成することは，当業者が容易になし得たものである。
　したがって，相違点２に係る構成は，引用発明から，当業者が容易に想到し得た事項である。
　
［相違点３］について
　引用例２の上記摘記事項（ア）及び（イ）並びにこれらに対応する各画面（前記３（２）で判断したとおり，１０２ページ中段の左右の画面が入れ違えたものであるとしたもの。）には，ユーザが掲示板利用の申込みに必要な事項を設定して申し込むことで，ユーザが利用することのできる掲示板のＵＲＬが表示されることが記載されている。
　そうすると，引用発明において，商品販売補助装置が記憶装置に格納された商品案内ページに割り当てられたネットワーク上の所在に関する情報を出品者に提供する提供手段を備える構成とすることは，当業者が容易になし得たものである。
　したがって，相違点３に係る構成は，引用発明及び引用例２に記載された事項から，当業者が容易に想到し得た事項である。
　
　以上より，本件発明の構成は，引用発明及び引用例２に記載されたに基づいて当業者が容易に想到し得たものである。
　そして，本件発明の作用効果も，引用例１及び引用例２から当業者が予測できる範囲のものである。
　ゆえに，本件発明は，引用発明及び引用例２に記載された事項に基づいて当業者が容易に発明をすることができたものである。
　
　
６．むすび
　
　以上のとおり，本件発明は，引用発明及び引用例２に記載された事項に基づいて当業者が容易に発明をすることができたものであるから，特許法第２９条２項の規定により特許を受けることができない。
　
　よって，結論のとおり審決する。